(57)【特許請求の範囲】
【請求項１】
現場に設置された点検対象物に対応付けて設けられた現場操作盤と、作業者が前記点検対象物の巡視点検を行う際に携帯する携帯端末装置とからなる巡視点検支援システムであって、
前記現場操作盤は、
前記点検対象物に供給される電流を検出し、前記点検対象物の駆動時における各種の物性値を電流値として検出するセンサー部と、
前記センサー部で検出した各種の物性値を表示値として表示する計器と、
前記センサー部が検出した電流値を電流値データとして前記携帯端末装置に送信する送信手段と、
を備え、
前記携帯端末装置は、
前記電流値データと、この電流値データに相当する電流が前記点検対象物に供給されたときに前記計器が前記点検対象物の各種の物性値として表示すべき表示値とを対応付けて記憶する記憶手段と、
前記送信手段が送信した前記電流値データを受信する受信手段と、
前記受信手段が受信した前記電流値データに対応する前記計器が前記点検対象物の各種の物性値として表示すべき表示値を前記記憶手段から抽出する抽出手段と、
前記抽出手段が前記記憶手段から抽出した表示値を表示する表示部と、
を備えることを特徴とする巡視点検支援システム。
【請求項２】
前記現場操作盤は、
前記送信手段により、前記点検対象物の起動時に前記電流値検出手段が検出した電流値と前記点検対象物の起動時間とを対応付けた起動電流／時間特性データを前記携帯端末装置に送信するように構成され、
前記携帯端末装置は、
前記記憶手段により、前記点検対象物が現場に設置された後の初期の稼働時における前記起動電流／時間特性データを記憶し、
前記受信手段により、前記送信手段が送信した前記起動電流／時間特性データを受信するとともに、
前記受信手段が受信した前記起動電流／時間特性データと、前記記憶手段が記憶する前記起動電流／時間特性データとを比較する比較手段を備えることを特徴とする請求項１記載の巡視点検支援システム。
【請求項３】
前記携帯端末装置は、
前記記憶手段により、前記点検対象物の駆動状態と当該駆動状態の前記点検対象物に対して作業者が行うべき措置項目とを対応付けて記憶し、
前記表示部により、前記記憶手段に記憶されている前記措置項目を表示することを特徴とする請求項１または２に記載の巡視点検支援システム。
【請求項４】
前記携帯端末装置は、
前記記憶手段により、作業者が前記点検対象物の巡視点検を行う場合に推定される推定進捗度を記憶するとともに、
作業者による前記点検対象物の巡視点検の進捗度を演算する進捗度演算手段と、
前記進捗度演算手段が演算した進捗度と前記記憶手段が記憶する推定進捗度とが異なる場合に警告動作を実行する警告動作実行手段と、
を備えることを特徴とする請求項１から３の何れか１項に巡視点検支援システム。
【発明の詳細な説明】
【技術分野】
【０００１】
本発明の実施形態は、巡視点検支援システムに関する。
【背景技術】
【０００２】
従来より、現場に設置された点検対象物に対応付けて設けられた現場操作盤と、作業者が点検対象物の巡視点検を行う際に携帯する携帯端末装置とからなり、作業者による巡視点検作業を支援するためのシステムが考えられている。この種のシステムでは、現場操作盤に備えられたＩＣタグから各種の情報を携帯端末装置によって読み取ることにより、作業者による巡視点検作業の効率化を図るようにしている。
ところで、巡視点検において、作業者は現場操作盤に設けられた計器に表示される表示値に基づいて点検対象物の点検を行い、表示値が異常であれば必要な措置を行う。しかしながら、現場操作盤は、点検対象物の近傍、つまり、温度や湿度などの環境変化が激しい現場に設置されることから、この現場操作盤に備えられる計器に故障や異常が発生する場合がある。そのため、点検対象物が正常であるにもかかわらず異常な表示値が表示されて不必要な措置が行われてしまったり、逆に、点検対象物が異常であるにもかかわらず正常な表示値が表示されて必要な措置が行われなかったりするおそれがある。
【先行技術文献】
【特許文献】
【０００３】
【特許文献１】特開２００５−３０１８４２号公報
【特許文献２】特開２００７−２４１５９８号公報
【特許文献３】特開２００８−１３９９８５号公報
【発明の概要】
【発明が解決しようとする課題】
【０００４】
そこで、現場操作盤に設けられた計器に表示される表示値が正常であるか否かも加味して点検対象物の巡視点検を行うことができる巡視点検支援システムを提供する。
【課題を解決するための手段】
【０００５】
本実施形態の巡視点検支援システムは、現場に設置された点検対象物に対応付けて設けられた現場操作盤と、作業者が前記点検対象物の巡視点検を行う際に携帯する携帯端末装置とからなる。前記現場操作盤は、前記点検対象物に供給される電流を検出し、前記点検対象物の駆動時における各種の物性値を電流値として検出するセンサー部と、前記センサー部で検出した各種の物性値を表示値として表示する計器と、前記センサー部が検出した電流値を電流値データとして前記携帯端末装置に送信する送信手段と、を備える。前記携帯端末装置は、前記電流値データと、この電流値データに相当する電流が前記点検対象物に供給されたときに前記計器が前記点検対象物の各種の物性値として表示すべき表示値とを対応付けて記憶する記憶手段と、前記送信手段が送信した前記電流値データを受信する受信手段と、前記受信手段が受信した前記電流値データに対応する前記計器が前記点検対象物の各種の物性値として表示すべき表示値を前記記憶手段から抽出する抽出手段と、前記抽出手段が前記記憶手段から抽出した表示値を表示する表示部と、を備える。
【図面の簡単な説明】
【０００６】
【図１】第１実施形態に係る巡視点検支援システムの概略構成を示す図
【図２】現場操作盤、携帯端末装置、監視装置の概略構成を示す図
【図３】第２実施形態に係る図２相当図
【図４】起動電流／時間特性データを概念的に示す図
【図５】第４実施形態に係る図２相当図
【図６】推定進捗度データを概念的に示す図
【発明を実施するための形態】
【０００７】
以下、複数の実施形態による巡視点検支援システムを、図面を参照して説明する。なお、各実施形態において実質的に同一の構成部位には同一の符号を付し、説明を省略する。
（第１実施形態）
まず、第１実施形態について、図１および図２を参照して説明する。図１に示すように、巡視点検支援システム１０は、例えば上下水道の浄化処理場の構内１１（現場）に設置された複数の点検対象物１２ａ〜１２ｈにそれぞれ対応付けて設けられた現場操作盤１３ａ〜１３ｈと、作業者が現場操作盤１３ａ〜１３ｈ及び点検対象物１２ａ〜１２ｈの巡視点検を行う際に携帯する携帯端末装置１４と、点検対象物１２ａ〜１２ｈの駆動状態を現場操作盤１３ａ〜１３ｈを介して集中的に監視する監視装置１５とを備える。
【０００８】
点検対象物１２ａ〜１２ｈは、この場合、浄化処理場に設置される一般的な設備であり、例えば、水を汲み上げたり水を圧送するためのポンプや当該ポンプを駆動するためのモータなどである。これら点検対象物１２ａ〜１２ｈは、構内１１の各階、地下、屋上、屋外地など広範囲に分散して配置されている。
現場操作盤１３ａ〜１３ｈは、それぞれ点検対象物１２ａ〜１２ｈの近傍に設置されている。なお、各現場操作盤１３ａ〜１３ｈは、各点検対象物１２ａ〜１２ｈとの対応関係が作業者によって比較的容易に認識できる位置関係となるように設置することが望ましい。
【０００９】
携帯端末装置１４は、管理室１６内に保管され、作業者が点検対象物１２ａ〜１２ｈを点検する際に管理室１６から持ち出し携帯する。
監視装置１５は、管理室１６内に設置されている。この監視装置１５は、構内１１内に設置された複数の点検対象物１２ａ〜１２ｈ及び現場操作盤１３ａ〜１３ｈとケーブル配線、ＬＡＮ回線、無線通信回線、光回線などを介して接続されており、各点検対象物１２ａ〜１２ｈの駆動状態を示す情報（各点検対象物１２ａ〜１２ｈに供給される電力や電流値などの情報）が現場操作盤１３ａ〜１３ｈを介して集約される。監視装置１５は、集約された各種の情報に基づいて、各点検対象物１２ａ〜１２ｈの駆動状態を監視し制御する。
【００１０】
次に、現場操作盤１３ａ〜１３ｈ、携帯端末装置１４、監視装置１５の構成について図２を参照して詳細に説明する。なお、現場操作盤１３ａ〜１３ｈについては、何れも同様の構成であるので、以下、代表して現場操作盤１３ａの構成を説明する。
現場操作盤１３ａは、ＩＣタグ１７と計器１８とを備える。ＩＣタグ１７は、この場合、電源機能を有しないパッシブ型で構成され、制御部１７ａと、センサー部１７ｂ（電流値検出手段に相当）と、記憶部１７ｃと、通信部１７ｄ（送信手段に相当）とを備える。制御部１７ａは、マイクロコンピュータを主体として構成され、ＩＣタグ１７の動作全般を制御する。センサー部１７ｂは、例えば、点検対象物１２ａの周囲の温度や湿度、点検対象物１２ａの周囲に発生する臭気や音響、点検対象物１２ａおよびその周辺の映像、点検対象物１２ａに印加される電圧や供給される電流値、点検対象物１２ａがポンプであれば圧送する水の圧力、水位、流量などを検出する各種のセンサーで構成される。記憶部１７ｃは、メモリで構成され、点検対象物１２ａや現場操作盤１３ａの設置位置を示す情報、計器１８の規格情報、点検対象物１２ａや現場操作盤１３ａに関する履歴情報などの各種の情報を記憶する。また、この場合、制御部１７ａは、センサー部１７ｂによって検出された点検対象物１２ａに供給される電流値などを記憶部１７ｃに記憶する。通信部１７ｄは、アンテナで構成され、主として携帯端末装置１４、或いは、稀に監視装置１５との間で各種の情報の送受信を行う。また、ＩＣタグ１７は、この場合、パッシブ型で構成されていることから、この通信部１７ｄが携帯端末装置１４から受信する電波により駆動電力を誘起する。
【００１１】
計器１８は、点検対象物１２ａの駆動状態（センサー部１７ｂによって検出された電圧や電流値などの各種の検出データ）を表示値として表示する。作業者は巡視点検の際には、この計器１８に表示される表示値に基づいて、点検対象物１２ａが正常に稼働しているか否か、或いは、点検対象物１２ａに故障や異常が発生していないか否かを判断する。
【００１２】
携帯端末装置１４は、制御部１４ａ（抽出手段に相当）と、入力部１４ｂと、表示部１４ｃと、記憶部１４ｄ（記憶手段に相当）と、通信部１４ｅ（受信手段に相当）と、撮像部１４ｆと、音声処理部１４ｇとを備える。制御部１４ａは、マイクロコンピュータを主体として構成され、携帯端末装置１４の動作全般を制御する。入力部１４ｂは、各種の操作キーなどで構成される。作業者は、この入力部１４ｂを介して巡視点検に必要な各種の情報（例えば、点検対象物の識別番号、点検対象物の名称、点検対象物の設置位置、点検日時、作業者名、巡視点検の開始時刻など）を携帯端末装置１４に入力する。表示部１４ｃは、液晶ディスプレイなどで構成され、入力部１４ｂを介して入力された各種の情報や記憶部１４ｄに記憶されている各種の情報を適宜表示する。
【００１３】
記憶部１４ｄは、メモリで構成され、入力部１４ｂを介して入力された各種の情報、現場操作盤１３ａ〜１３ｈから受信した各種の情報、監視装置１５から受信した各種の情報を記憶する。また、この記憶部１４ｄには、メンテナンス項目、各点検対象物１２ａ〜１２ｈと各現場操作盤１３ａ〜１３ｈとの位置関係を示す情報などが記憶されている。なお、記憶部１４ｄに記憶するメンテナンス項目には、点検対象物１２ａ〜１２ｈの外観の点検、設備の変形，変色，破損などの有無の点検，現場操作盤１３ａ〜１３ｈの計器１８の指針の振動の点検など一般的な点検項目が含まれる。また、このメンテナンス項目に、点検対象物１２ａ〜１２ｈに特有の点検項目（例えば、専用部品の破損などの有無の点検）を含むようにしてもよい。
【００１４】
通信部１４ｅは、アンテナで構成され、現場操作盤１３ａ〜１３ｈや監視装置１５との間で各種の情報の送受信を行う。撮像部１４ｆは、デジタルカメラモジュールで構成される。作業者は、この撮像部１４ｆにより現場の状況を撮像することができる。撮像部１４ｆによって撮像されたデータは記憶部１４ｄに記憶される。音声処理部１４ｇは、マイクおよびスピーカなどで構成される。作業者は、この音声処理部１４ｇを介して現場の状況などを携帯端末装置１４に入力したり、或いは、音声処理部１４ｇから出力される音声ガイドに基づいて巡視点検を行う。また、図示はしないが、携帯端末装置１４には、巡視点検時に作業者の進路を照らしたり表示部１４ｃ部分を照らすための照明装置や、携帯端末装置１４の駆動電源となるバッテリなどを備える。
【００１５】
監視装置１５は、制御部１５ａと、通信部１５ｂと、表示部１５ｃと、記憶部１５ｄと、警告部１５ｅとを備える。制御部１５ａは、マイクロコンピュータを主体として構成され、監視装置１５の動作全般を制御する。また、制御部１５ａは、点検対象物１２ａ〜１２ｈの駆動の監視制御を実行する。通信部１５ｂは、アンテナで構成され、現場操作盤１３ａ〜１３ｈや携帯端末装置１４との間で各種の情報の送受信を行う。表示部１５ｃは、液晶ディスプレイなどで構成され、点検対象物１２ａ〜１２ｈの駆動状況などを表示する。記憶部１５ｄは、メモリやハードディスクなどの大容量の記憶媒体で構成され、現場操作盤１３ａ〜１３ｈから受信した各種の情報や携帯端末装置１４から受信した各種の情報を記憶する。また、この記憶部１５ｄには、点検対象物１２ａ〜１２ｈに供給される電流値と当該電流値が点検対象物１２ａ〜１２ｈに供給されたときに計器１８が表示すべき表示値とを対応付けた電流値／表示値データが記憶されている。警告部１５ｅは、警告ランプやブザーなどで構成され、例えば点検対象物１２ａ〜１２ｈの駆動状況に異常が発生した場合に、点滅動作や警告音を発生する。
【００１６】
次に、上記の構成の巡視点検支援システム１０によって点検対象物１２ａ〜１２ｈの巡視点検を行う場合の動作について説明する。
作業者は、巡視点検を行う際には、管理室１６内に保管されている携帯端末装置１４を携帯し、所定の巡視コースに沿って現場操作盤１３ａ〜１３ｈ及び点検対象物１２ａ〜１２ｈを順に点検していく。ここで、各現場操作盤１３ａ〜１３ｈ及び各点検対象物１２ａ〜１２ｈにおける動作内容は同様であるので、以下、代表して現場操作盤１３ａ及び点検対象物１２ａの点検を行う場合について説明する。
作業者は、点検対象物１２ａの設置現場に到着すると、携帯端末装置１４と点検対象物１２ａに対応する現場操作盤１３ａのＩＣタグ１７との間で通信を実行する。このとき、ＩＣタグ１７の制御部１７ａは、通信部１７ｄにより、センサー部１７ｂが検出した電流値（点検対象物１２ａに供給されている電流値）を携帯端末装置１４に送信する。
【００１７】
一方、携帯端末装置１４の制御部１４ａは、通信部１４ｅにより、現場操作盤１３ａのＩＣタグ１７が送信した電流値を受信する。また、携帯端末装置１４の制御部１４ａは、通信部１４ｅと監視装置１５の通信部１５ｂとの通信により、監視装置１５の記憶部１５ｄに記憶されている電流値／表示値データを受信し、記憶部１４ｄに記憶する。なお、電流値／表示値データの受信は、巡視点検を開始する前に予め監視装置１５から受信しておくようにしてもよい。次に、携帯端末装置１４の制御部１４ａは、通信部１４ｅがＩＣタグ１７から受信した電流値に対応する表示値を記憶部１４ｄに記憶されている電流値／表示値データから抽出する（抽出手段）。そして、制御部１４ａは、抽出した表示値を表示部１４ｃに表示する。
【００１８】
作業者は、携帯端末装置１４の表示部１４ｃに表示された表示値と、現場操作盤１３ａの計器１８の表示値とを比較照合し、当該計器１８に表示されている表示値が正常であるか否かを判断する。そして、計器１８に表示されている表示値が正常であると判断すると、その表示値に基づいて、点検対象物１２ａに必要な措置（例えば、点検対象物１２ａの駆動を停止する措置、点検対象物１２ａの駆動レベルを調整する措置、点検対象物１２ａを交換する措置など）を行う。
【００１９】
以上に説明したように本実施形態によれば、現場操作盤１３ａ〜１３ｈの計器１８に実際に表示されている表示値と計器１８に表示されるべき表示値とを比較照合することができ、現場操作盤１３ａ〜１３ｈに設けられた計器１８に表示される表示値が正常であるか否かも加味しながら点検対象物１２ａ〜１３ｈの巡視点検を行うことができる。
【００２０】
（第２実施形態）
第２実施形態による巡視点検支援システムを図３および図４に示す。
図３に示すように、本実施形態では、現場操作盤１３ａ（１３ｂ〜１３ｈ）の近傍には、電波供給装置２１が設置されている。この電波供給装置２１は、電源機能を有しないパッシブ型のＩＣタグ１７を常時稼働させるために、当該ＩＣタグ１７に駆動電力を誘起させるための電波を常時供給するものである。また、監視装置１５の記憶部１５ｄには、点検対象物１２ａ〜１２ｈが現場に設置された後の初期の稼働時における起動電流／時間特性データ、つまり、起動電流／時間特性データの初期値が記憶されている。
【００２１】
次に、本実施形態の動作について説明する。
ＩＣタグ１７の制御部１７ａは、点検対象物１２ａ（１２ｂ〜１２ｈ）の起動時にセンサー部１７ｂが検出した電流値と点検対象物１２ａ（１２ｂ〜１２ｈ）の起動時間とを対応付けた起動電流／時間特性データを作成し、当該起動電流／時間特性データを記憶部１７ｃに記憶する。なお、この起動電流／時間特性データは、図４に示すように、点検対象物１２ａ（１２ｂ〜１２ｈ）に供給される電流値（起動電流）が起動直後に増大し、その後、ほぼ一定の値に収束する態様となる。また、記憶部１７ｃに記憶する起動電流／時間特性データは、点検対象物１２ａ（１２ｂ〜１２ｈ）が起動するごとに書き換えるようにしてもよいし、その全部或いは一部を記憶部１７ｃに蓄積するようにしてもよい。そして、ＩＣタグ１７の制御部１７ａは、通信部１７ｄにより、記憶部１７ｃに記憶されている起動電流／時間特性データを携帯端末装置１４に送信する。
【００２２】
一方、携帯端末装置１４の制御部１４ａは、通信部１４ｅと監視装置１５の通信部１５ｂとの通信により、監視装置１５の記憶部１５ｄに記憶されている起動電流／時間特性データ（初期値）を受信し、記憶部１４ｄに記憶する。なお、起動電流／時間特性データの受信は、巡視点検を開始する前に予め監視装置１５から受信しておくようにしてもよい。また、携帯端末装置１４の制御部１４ａは、通信部１４ｅにより、ＩＣタグ１７が送信した起動電流／時間特性データを受信する。次に、携帯端末装置１４の制御部１４ａは、通信部１４ｅがＩＣタグ１７から受信した起動電流／時間特性データと、記憶部１４ｄに記憶されている起動電流／時間特性データ（初期値）とを比較照合する（比較手段）。
【００２３】
ここで、起動電流／時間特性データは、点検対象物１２ａ〜１２ｈの経年劣化などの要因により、起動電流のピーク値や当該ピーク値に達するまでの時間が増大する傾向がある。そこで、携帯端末装置１４の制御部１４ａは、通信部１４ｅがＩＣタグ１７から受信した起動電流／時間特性データ（現時点における起動電流／時間特性データ）と記憶部１４ｄに記憶されている起動電流／時間特性データ（点検対象物１２ａ〜１２ｈの設置時における起動電流／時間特性データ（初期値））とのずれが所定の許容範囲内であるか否かに基づいて、点検対象物１２ａ〜１２ｈが正常であるか否かを判断する。
【００２４】
以上に説明したように本実施形態によれば、巡視点検時における点検対象物１２ａ〜１２ｈの起動電流／時間特性データと設置時における点検対象物１２ａ〜１２ｈの起動電流／時間特性データとを比較照合することで、点検対象物１２ａ〜１２ｈが正常であるか否かも加味しながら点検対象物１２ａ〜１３ｈの巡視点検を行うことができる。
なお、ＩＣタグ１７を電源機能を有するアクティブ型で構成し、電波供給装置２１を不要としてもよい。
【００２５】
（第３実施形態）
第３実施形態による巡視点検支援システムを説明する。
本実施形態では、監視装置１５の記憶部１５ｄには、点検対象物１２ａ〜１２ｈの駆動状態と当該駆動状態の点検対象物１２ａ〜１２ｈに対して作業者が行うべき措置項目とを対応付けた駆動状態／措置項目データが記憶されている。この駆動状態／措置項目データには、例えば、「駆動状態Ａの点検対象物１２ａ〜１２ｈに対しては措置ａを行う」、「駆動状態Ｂの点検対象物１２ａ〜１２ｈに対しては措置ｂを行う」、「駆動状態Ｃの点検対象物１２ａ〜１２ｈに対しては措置ｃを行う」といった内容の情報が格納されている。
現場操作盤１３ａ〜１３ｈのそれぞれのＩＣタグ１７の制御部１７ａは、通信部１７ｄにより、センサー部１７ｂが検出した各種の検出データ（点検対象物１２ａ〜１２ｈの駆動状態を示すデータ）を携帯端末装置１４に送信する。
【００２６】
一方、携帯端末装置１４の制御部１４ａは、通信部１４ｅと監視装置１５の通信部１５ｂとの通信により、監視装置１５の記憶部１５ｄに記憶されている駆動状態／措置項目データを受信し、記憶部１４ｄに記憶する。なお、駆動状態／措置項目データの受信は、巡視点検を開始する前に予め監視装置１５から受信しておくようにしてもよい。また、携帯端末装置１４の制御部１４ａは、通信部１４ｅにより、ＩＣタグ１７が送信した検出データを受信する。次に、携帯端末装置１４の制御部１４ａは、通信部１４ｅがＩＣタグ１７から受信した検出データに対応する措置項目を記憶部１４ｄから抽出する。そして、制御部１４ａは、抽出した措置項目を表示部１４ｃに表示する。
【００２７】
これにより、例えば、ＩＣタグ１７のセンサー部１７ｂによる検出データに基づく点検対象物１２ａの駆動状況が駆動状況Ａであれば、措置項目ａが抽出されて表示部１４ｃに表示される。そして、作業者は、携帯端末装置１４の表示部１４ｃに表示された措置項目ａを点検対象物１２ａに実施する。
【００２８】
以上に説明したように本実施形態によれば、点検対象物１２ａ〜１２ｈの実際の駆動状況に対応した措置項目が携帯端末装置１４の表示部１４ｃに表示される。これにより、作業者は、無駄なく過誤なく迅速に点検対象物１２ａ〜１２ｈに適切な措置を行うことができる。
【００２９】
（第４実施形態）
第４実施形態による巡視点検支援システムを図５および図６に示す。
図５に示すように、本実施形態では、携帯端末装置１４は、警告ランプやブザーなどで構成される警告部１４ｈを備える。また、監視装置１５の記憶部１５ｄには、作業者が点検対象物１２ａ〜１２ｈの巡視点検を行う場合に推定される推定進捗度を示す推定進捗度データが記憶されている。図６に示すように、この推定進捗度データには、例えば、作業者が巡視点検を開始した推定開始時刻Ｔ０（作業者が管理室１６を出発した時刻）、作業者が最初の点検対象物１２ａに到着する推定到着時刻Ｔ１、作業者が点検対象物１２ａの点検作業を完了する推定完了時刻Ｔ２、作業者が次の点検対象物１２ｂに到着する推定到着時刻Ｔ３、作業者が点検対象物１２ｂの点検作業を完了する推定完了時刻Ｔ４（以降、点検対象物１２ｃ〜１２ｈについても同様）、そして、作業者が全ての点検対象物１２ａ〜１２ｈの点検を完了し管理室１６に到着する推定到着時刻Ｔｆが格納されている。
携帯端末装置１４は、通信部１４ｅと監視装置１５の通信部１５ｂとの通信により、監視装置１５の記憶部１５ｄに記憶されている推定進捗度データを受信し、記憶部１４ｄに記憶する。なお、推定進捗度データの受信は、巡視点検を開始する前に予め監視装置１５から受信しておくようにしてもよい。
【００３０】
次に、本実施形態による動作について説明する。
作業者は、巡視点検を開始したときには、入力部１４ｂを介して開始時刻Ｔ００を携帯端末装置１４に入力する。携帯端末装置１４の制御部１４ａは、入力された開始時刻Ｔ００を記憶部１４ｄに記憶する。そして、作業者は、最初の点検対象物１２ａに到着すると、入力部１４ｂを介して到着時刻Ｔ０１を携帯端末装置１４に入力する。携帯端末装置１４の制御部１４ａは、入力された到着時刻Ｔ０１を記憶部１４ｄに記憶する。また、作業者は、点検対象物１２ａの点検作業を完了すると、入力部１４ｂを介して完了時刻Ｔ０２を携帯端末装置１４に入力する。携帯端末装置１４の制御部１４ａは、入力された完了時刻Ｔ０２を記憶部１４ｄに記憶する。
【００３１】
そして、携帯端末装置１４の制御部１４ａは、記憶部１４ｄに記憶されている推定開始時刻Ｔ０と推定到着時刻Ｔ１に基づいて作業者が点検対象物１２ａに到着するまでの推定移動時間Ｔａを演算するとともに、入力された開始時刻Ｔ００と到着時刻Ｔ０１に基づいて作業者が点検対象物１２ａに到着するまでの実際の移動時間Ｔ０ａを演算する（進捗度演算手段）。そして、携帯端末装置１４の制御部１４ａは、演算した推定移動時間Ｔａ（推定進捗度）と実際の移動時間Ｔ０ａ（実際の進捗度）とを比較照合し、両時間のずれが所定の許容範囲内であるか否かに基づいて、移動中に作業者に異常が発生していないか否かを判断する。
【００３２】
また、携帯端末装置１４の制御部１４ａは、記憶部１４ｄに記憶されている推定到着時刻Ｔ１と推定完了時刻Ｔ２に基づいて点検対象物１２ａの点検作業に要する推定所要時間Ｔｂを演算するとともに、入力された到着時刻Ｔ０１と完了時刻Ｔ０２に基づいて点検対象物１２ａの点検作業に実際に要した所要時間Ｔ０ｂを演算する（進捗度演算手段）。そして、携帯端末装置１４の制御部１４ａは、演算した推定所要時間Ｔｂと実際の所要時間Ｔ０ｂとを比較照合し、両時間のずれが所定の許容範囲内であるか否かに基づいて、点検作業中に作業者に異常が発生していないか否かを判断する。
【００３３】
以降、作業者は、点検対象物１２ｂ〜１２ｈについても実際の到着時刻と実際の完了時刻を入力しながら巡視点検を行う。そして、携帯端末装置１４の制御部１４ａは、記憶部１４ｄに記憶されている推定進捗度データと巡視点検中に随時入力される実際の到着時刻および実際の完了時刻とに基づいて、推定進捗度と実際の進捗度とを比較照合し、その結果に基づいて、作業者に異常が発生していないか否かを判断する。
【００３４】
なお、本実施形態では、携帯端末装置１４の制御部１４ａは、推定進捗度と実際の進捗度とが異なると判断した場合、つまり、作業者に異常が発生していると判断した場合には、警告部１４ｈにより警告動作（警告ランプの点滅動作や、ブザーによる警告音の発生動作）を実行する（警告動作実行手段）。これにより、携帯端末装置１４を携帯する作業者の所在を容易に確認することができ救助活動を迅速かつ的確に行うことができる。
また、例えば、作業者が巡視点検の途中において気絶などした場合には、携帯端末装置１４に実際の到着時刻や実際の点検完了時刻を入力することができない。そこで、携帯端末装置１４の制御部１４ａは、作業者による前回の時刻の入力から所定時間（例えば、５分）が経過しても次の時刻の入力がない場合には、作業者に異常が発生したものと判断して、警告部１４ｈにより警告動作を実行する。
【００３５】
また、携帯端末装置１４の制御部１４ａは、推定進捗度と実際の進捗度とが異なると判断した場合には、通信部１４ｅにより、監視装置１５に警告情報を送信するようにしてもよい。そして、監視装置１５の制御部１５ａは、携帯端末装置１４から警告情報を受信した場合には、警告部１５ｅにより所定の警告動作を実行するようにしてもよい。
また、携帯端末装置１４の制御部１４ａは、入力された時刻情報（開始時刻、到着時刻、完了時刻など）を、通信部１４ｅにより監視装置１５に送信するようにしてもよい。そして、監視装置１５の制御部１５ａは、携帯端末装置１４から受信した時刻情報に基づいて実際の進捗度を演算し、記憶部１５ｄに記憶されている推定進捗度と演算した実際の進捗度とを比較照合し、両進捗度が異なる場合には所定の警告動作を実行するように構成してもよい。
【００３６】
以上に説明したように本実施形態によれば、予め記憶されている推定進捗度と巡視点検時に随時入力される時刻に基づく実際の進捗度とを比較照合し、両進捗度が異なる場合には所定の警告動作を実行するように構成した。これにより、巡視点検の途中における作業者の安否を加味しながら点検作業を安全に行うことができる。
【００３７】
以上のように各実施形態の巡視点検支援システムは、現場に設置された点検対象物に対応付けて設けられた現場操作盤と、作業者が前記点検対象物の巡視点検を行う際に携帯する携帯端末装置とからなる。前記現場操作盤は、前記点検対象物に供給される電流値を検出する電流値検出手段と、前記点検対象物の駆動状態を表示値として表示する計器と、前記電流値検出手段が検出した電流値を前記携帯端末装置に送信する送信手段と、を備える。前記携帯端末装置は、前記点検対象物に供給される電流値と当該電流値が前記点検対象物に供給されたときに前記計器が表示すべき表示値とを対応付けて記憶する記憶手段と、前記送信手段が送信した前記電流値を受信する受信手段と、前記受信手段が受信した前記電流値に対応する前記表示値を前記記憶手段から抽出する抽出手段と、前記抽出手段が抽出した前記表示値を表示する表示部と、を備える。この構成によれば、現場操作盤に設けられた計器に表示される表示値が正常であるか否かも加味して点検対象物の巡視点検を行うことができる。
【００３８】
なお、巡視点検支援システムに対し同時に複数の実施形態を適用してもよい。
点検対象物が三相モータである場合には、Ｕ相，Ｖ相，Ｗ相の各電流値のうち最も大きい値を示す電流値を記憶するようにするとよい。また、その最も大きい値を示す電流値に基づいて起動電流／時間特性データを作成するようにするとよい。
上述の各実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
図面中、１０は巡視点検支援システム、１２ａ〜１２ｈは点検対象物、１３ａ〜１３ｈは現場操作盤、１４は携帯端末装置、１４ａは制御部（抽出手段、比較手段、進捗度演算手段、警告動作実行手段）、１４ｃは表示部、１４ｄは記憶部（記憶手段）、１４ｅは通信部（受信手段）、１７ｂはセンサー部（電流値検出手段）、１７ｄは通信部（送信手段）、１８は計器を示す。
【図１】
0005713613.tif 000002
【図２】
0005713613.tif 000003
【図３】
0005713613.tif 000004
【図４】
0005713613.tif 000005
【図５】
0005713613.tif 000006
【図６】
0005713613.tif 000007